(57)【特許請求の範囲】
【請求項１】
オンエアー時に使用される本編部分と、黒味映像部分とが交互に且つ両部分間に設けられる捨てカット部分からなる番組素材と、当該番組素材と一緒に記録されているタイムコードとを、ビデオサーバに収録し、オンエアー時に、前記ビデオサーバに収録している番組素材のうちの本編部分のみを自動的に切り出す本編部分切り出しデータを作成する番組素材の本編部分自動切り出し方法であって、
登録／プレビュー卓を備え、再生操作時に前記ビデオサーバを制御して、収録している番組素材を読み込み、前記登録／プレビュー卓の画面に、番組素材の再生フレーム画像と再生位置を示すタイムコード並びに本編部分開始位置を示すタイムコードを表示し、
前記登録／プレビュー卓に備えたコンピュータ（ＣＰＵ）で、前記番組素材のうちの前記黒味映像部分を自動検出して、前記黒味映像部分を除いた番組素材を自動的に本編部分として切り出し、
自動的に切り出した本編部分を示す区分と本編部分開始位置を示すタイムコードとを保存するとともに、前記登録／プレビュー卓の画面に表示し、前記本編部分が選択されたとき、保存した本編部分開始位置を示すタイムコードを用いて、前記ビデオサーバで当該タイムコードのフレーム画像をサーチし、サーチした前記本編部分開始位置のフレーム画像と前記本編部分開始位置を示すタイムコードとを、前記登録／プレビュー卓の画面に表示し、
前記本編部分開始位置を示すタイムコードの値を変えて、前記登録／プレビュー卓の画面上における前記本編部分開始位置のフレーム画像の位置を微調整し、オンエアーしたい本編部分の本編部分開始位置を決定して、捨てカット部分を省いた本編部分のみを切り出すことを特徴とする番組素材の本編部分自動切り出し方法。
【請求項２】
請求項１記載の番組素材の本編部分自動切り出し方法において、前記自動的に切り出したときの本編部分を示す区分と本編部分の開始点を示すタイムコードとを、前記登録／プレビュー卓の画面に、自動切り出しデータ表示部として表示することを特徴とする番組素材の本編部分自動切り出し方法。
【請求項３】
請求項１記載の番組素材の本編部分自動切り出し方法において、前記登録／プレビュー卓の画面に表示のタイムコードの値を「１」変えるたびに、変えたタイムコードのフレーム画像と変えたタイムコードの値を当該登録／プレビュー卓の画面に表示し、タイムコードの値を変えながら、変えたタイムコードのフレーム画像を確認することを特徴とする番組素材の本編部分自動切り出し方法。
【発明の詳細な説明】
【技術分野】
【０００１】
本発明は、放送局で用いられる放送番組送出システムにおける番組素材の収録、本編部分の自動分割に関する。
【背景技術】
【０００２】
放送局での放送に用いる番組素材をビデオサーバに収録し、放送する番組等を送出する放送番組送出システムにおいては、例えば、図４に示すフォーマットで記録された番組素材テープ４０１が使用される。この番組素材テープ４０１は、番組制作者が製作したＶＴＲテープである。
【０００３】
一巻の番組素材テープ４０１には、例えば、捨てカット部分３１、本編部分１（１１）、捨てカット部分３２、黒味映像部分２１、捨てカット部分３３、本編部分２（１２）、捨てカット部分３４、黒味映像部分２２、捨てカット部分３５、本編部分３（１３）、捨てカット部分３６からなる番組素材１０１が、順次記録されている。
【０００４】
また一巻の番組素材テープ４０１には、番組素材１０１の他に、番組素材１０１における各部分の時刻を示すタイムコードが一緒に記録されている。
【０００５】
図４では、一巻の番組素材テープ４０１の本編部分が、本編部分１（１１）、本編部分２（１２）、本編部分３（１３）の三つの部分からなる場合を示したが、一例であり、その数は限定されない。
【０００６】
オンエアー（送出）する前に、図４に示す番組素材テープ４０１を映像記録再生装置（ＶＴＲ）で再生して、番組素材テープ４０１に記録されている番組素材１０１を、ビデオサーバに収録する。
【０００７】
オンエアー（送出）するときは、ビデオサーバに収録されている番組素材の中から実際に放送される本編部分を切り出してオンエアー（送出）する。
【０００８】
オンエアー（送出）する前段階として、番組素材のうちの本編部分を切り出すために、まず、各本編部分の開始点時刻、終了点時刻や本編部分の長さ等を示す本編部分切り出しデータを検出し、データサーバに登録しておく。
【０００９】
このことで、オンエアー（送出）するときには、制御コンピュータが、データサーバに登録されている本編部分切り出しデータに基づき、ビデオサーバに収録されている番組素材のうちの中から実際に放送される本編部分を切り出す。
【００１０】
従来、本編部分切り出しデータの検出は、ビデオサーバに収録された番組素材の映像を表示部に表示し、オペレータが、番組素材の映像を初めから最後まで全て目で見て確認しながら、行っていた。
【００１１】
なお、本編部分はロールデータといわれるが、ロールデータをビデオサーバから切り出すことについては、例えば特許文献１に記載されている。
【００１２】
【特許文献１】特開２００４−４８２４９号公報
【発明の開示】
【発明が解決しようとする課題】
【００１３】
本編部分の切り出しを行うために、オペレータが、表示部に表示された番組素材の映像を最初から最後まで全て目で見て確認しながら行うので、オペレータがずっと凝視している必要があった。
【００１４】
そのため、本編部分の切り出しに多くの時間、及び、労力を有していた。
【００１５】
本発明の目的は、本編部分の切り出しのときに、オペレータの負担を軽減することができる番組素材の本編部分自動切り出し方法を提供することにある。
【課題を解決するための手段】
【００１６】
第１の本発明は、オンエアー時に使用される本編部分と、黒味部分とが交互に且つ両部分間に所望により設けられる捨てカット部分からなる番組素材をビデオサーバに収録すると共に、前記番組素材のうちの前記黒味部分を自動検出して、自動的に本編部分を切り出すことを特徴とする。
【００１７】
第２の本発明は、第１の本発明において、自動的に切り出した本編部分の区分と本編部分の開始位置を示すタイムコードとを保存するとともに、画面に表示し、前記本編部分が選択されたとき、保存したタイムコードを用いて、前記ビデオサーバで前記本編部分開始位置のフレーム画像をサーチして、前記画面に表示することを特徴とする。
【００１８】
第３の本発明は、第２の本発明において、サーチした前記本編部分開始位置のフレーム画像を前記画面に表示した後、前記本編部分開始位置を示すタイムコードの値を変えて、前記画面上における前記本編部分開始位置のフレーム画像の位置を微調整し、オンエアー（送出）したい本編部分の本編部分開始位置を決定することを特徴とする。
【発明の効果】
【００１９】
本発明によれば、本編部分の切り出しのときに、オペレータの負担を軽減することができる番組素材の本編部分自動切り出し方法を得ることができる。
【発明を実施するための最良の形態】
【００２０】
図１は、本発明による番組素材の本編部分自動切り出し方法を備えた放送システムの実施の形態のブロック構成図である。図２は、本編自動切り出しを実行するとき及び実行したときの登録／プレビュー卓（パソコン）におけるファイリング／プレビューの画面である。
【００２１】
図１において、１０１は図４に示す番組素材、１０２は映像記録再生装置（ＶＴＲ）、１０３は分配器、１０４はビデオサーバ、１０５はスイッチャー、１０６は映像モニタ、１０７はキャプチャーボード、１０８は登録／プレビュー卓（パソコン）、１０９はデータサーバ、１１０は制御用コンピュータ、１１１はオンエアー用分配器、１１２はオンエアー用映像モニタである。
【００２２】
映像記録再生装置（ＶＴＲ）１０２は分配器１０３に接続され、分配器１０３はビデオサーバ１０４とスイッチャー１０５に接続され、ビデオサーバ１０４はオンエアー用分配器１１２とスイッチャー１０５に接続されている。
【００２３】
登録／プレビュー卓（パソコン）１０８は、キャプチャーボード１０７を介して、データサーバ１０９と制御用コンピュータ１１０とにＬＡＮにて接続され、データサーバ１０９は上位システム（データ管理システム）とＬＡＮにて接続されている。
【００２４】
オンエアー（送出）する前に、図４に示す番組テープ４０１を図１に示す映像再生装置１０２で再生して、番組テープ４０１に記録されている番組素材１０１（図４）を、ビデオサーバ１０４に収録する。
【００２５】
オンエアー（送出）の指示があったとき、制御コンピュータ１１０は、データサーバ１０９から本編部分切り出しデータを取得し、取得した本編部分切り出しデータに基づきビデオサーバ１０４を制御する。
【００２６】
このことにより、ビデオサーバ１０４に収録されている番組素材のうちの本編部分のみが自動的に切り出され、オンエアー用分配器１１１を経由して外部にオンエアー（送出）され、またその際オンエアー用映像モニタ１１２でモニタされる。
【００２７】
本実施の形態では、本編部分切り出しデータを、登録／プレビュー卓（パソコン）１０８を用いて作成する。
【００２８】
登録／プレビュー卓（パソコン）１０８を起動すると、登録／プレビュー卓（パソコン）１０８は、データサーバ１０９で管理しているリストデータを読み込み、図示していないリストの画面を表示する。
【００２９】
オペレータがリストの中のファイリング／プレビューを選択すると、登録／プレビュー卓（パソコン）１０８は、データサーバ１０９で管理しているファイリング／プレビューデータを読み込み、図２に示すファイリング／プレビューの画面を表示する。
【００３０】
図２は、登録／プレビュー卓（パソコン）におけるファイリング／プレビューの画面である。
【００３１】
図２において、２０１はキャプチャー画面部、２０２はタイムコード表示部、２０３はビデオサーバ操作ボタン、２０４はマークイン／アウト表示部、２０５は番組テープデータ表示部、２０６は本編部分自動切り出しデータ表示部、２０７は本編部分開始位置のフレーム画像表示部である。
【００３２】
図２において、ビデオサーバ操作ボタン２０３のうちの再生ボタンを選択すると、図１の登録／プレビュー卓（パソコン）１０８は、再生指示データを制御コンピュータ１１０に伝達し、制御コンピュータ１１０は、伝達された再生指示データに基づきビデオサーバ１０４を制御する。
【００３３】
このことにより、ビデオサーバ１０４に収録されている番組素材１０１、すなわち、図４に示す、捨てカット部分３１、本編部分１（１１）、捨てカット部分３２、黒味映像部分２１、捨てカット部分３３、本編部分２（１２）、捨てカット部分３４、黒味映像部分２２、捨てカット部分３５、本編部分３（１３）、捨てカット部分３６が、順次再生される。
【００３４】
再生された番組素材１０１は、ビデオサーバ１０４のプレビューラインから、スイッチャー１０５、映像モニタ１０６、キャプチャーボード１０７を経由して登録／プレビュー卓（パソコン）１０８に伝達される。
【００３５】
そのことにより、図２に示す登録卓／プレビューの画面で、キャブチャー画面部２０１に、番組素材１０１の再生フレーム画像が順次表示され、且つタイムコード表示部２０３に、番組素材１０１の再生位置を示すタイムコードが順次表示される。またマークイン／アウト表示部２０４に、本編部分の開始点（ＩＮ点）を示すタイムコード、終了点（ＯＵＴ点）を示すタイムコード、本編部分の長さ（デュレーション）を示す時間が順次表示される。
【００３６】
登録／プレビュー卓（パソコン）１０８に伝達された番組素材１０１は、登録／プレビュー卓（パソコン）１０８に備えたコンピュータ（ＣＰＵ）で解析される。
【００３７】
図３は、登録／プレビュー卓（パソコン）１０８に備えたコンピュータ（ＣＰＵ）が、番組素材を解析し、自動的に本編部分を切り出すフローの一例を示す図である。
【００３８】
まず、ステップＳ３０１において、キャプチャーボード１０７から番組素材１０１を読み込み、キャプチャー画面部２０１にフレーム画像を表示する。
【００３９】
次にステップＳ３０２において、フレーム画像の各画素が黒レベルであるかを判定する。
【００４０】
次にステップＳ３０３において、一フレーム（画面）を構成する画素のうち黒レベルのとなる画素の数が所定数以上であるかを判定し、所定数以上の場合に黒味部分と判断する。
【００４１】
次にステップＳ３０４において、黒味部分が所定フレーム数連続したかを判定し、所定フレーム数連続した場合に黒味映像部分と判断する。
【００４２】
次にステップＳ３０５において、番組素材テープ全てを再生したかを判定する。
【００４３】
次にステップＳ３０６において、黒味映像部分を除いた番組素材の部分を、本編部分として切り出す。
【００４４】
このようにして本編部分を切り出すと、登録／プレビュー卓（パソコン）１０８は、本編部分を切り出したときの各本編部分データを保存するとともに、図２における本編部分自動切り出しデータ表示部２０６に、本編部分を切り出したときの各本編部分データを表示する。
【００４５】
すなわち、図４に示す番組素材１０１のうちの本編部分１（１１）、本編部分２（１２）、本編部分３（１３）を表示する。
【００４６】
表示の内容は、自動的に切り出した本編部分の区分（枠名）、本編部分開始点（ＶＴＲ  ＩＮ／ＬＡＰ）、本編部分の長さ（デュレーション）、素材ＩＤ等である。
【００４７】
また、一巻の番組素材テープ４０１が再生し終わると、番組テープデータ表示部２０５に、一巻の番組素材テープデータを表示する。
【００４８】
表示の内容は、収録開始のタイムコード、本編部分開始点（ＶＴＲ  ＩＮ／ＬＡＰ）、テープ長等である。
【００４９】
また、本編部分開始位置のフレーム画像表示部２０７に、各本編部材開始位置のフレーム画像を表示する。
【００５０】
オペレータは、この時点までは、表示部に表示された番組素材の映像を目で確認する必要がない。
【００５１】
切り出した本編部分はその前後の捨てカット部分を含んでいるため、切り出した本編部分からオンエアー（送出）したい本編部分のみを切り出すためには、まず、オンエアー（送出）したい本編部分の開始点をサーチする。
【００５２】
そのため、本編部分自動切り出しデータ表示部２０６に表示された各本編部分のうち例えば本編部分１を選択する。すると、図１の登録／プレビュー卓（パソコン）１０８は、切り出された本編部分１の開始点（ＶＴＲ  ＩＮ／ＬＡＰ）を示すタイムコードを制御コンピュータ１１０に伝達し、制御コンピュータ１１０は、ビデオサーバ１０４をサーチし、伝達されたタイムコードのフレーム画像を再生する。
【００５３】
再生されたフレーム画像は、ビデオサーバ１０４のプレビューラインから、スイッチャー１０５、映像モニタ１０６、キャプチャーボード１０７を経由して登録／プレビュー卓（パソコン）１０８に伝達され、図２に示す登録卓／プレビューの画面のキャブチャー画面部２０１に表示される。また本編部分１の開始点を示すタイムコードがタイムコードコード表示部２０２に表示される。
【００５４】
次に、タイムコード表示部２０２に表示されたタイムコードの値を「１」変えると、図１の登録／プレビュー卓（パソコン）１０８は、変えたタイムコードを制御コンピュータ１１０に伝達し、制御コンピュータ１１０は、ビデオサーバ１０４をサーチし、変えたタイムコードのフレーム画像を再生する。
【００５５】
このように、タイムコード表示部２０２に表示されたタイムコードの値を「１」変えるたびに、変えたタイムコードのフレーム画像がキャブチャー画面部２０１に表示され、タイムコードがタイムコードコード表示部２０２に表示される。
【００５６】
したがって、オペレータは、タイムコードの値を変えながらキャブチャー画面部２０１に表示された番組素材のフレーム画像を、目でみて確認することで、簡単に本編部分１の開始点を決定することができる。
【００５７】
本編部分１の開始点の決定は、マークイン／アウト表示部２０４のＭＡＲＫボタンを選択することで行うことができ、続いて更新ボタンを選択すると、保存していた切り出しデータのうちの本編部分１の開始点を示すタイムコードが更新される。
【００５８】
次に、ビデオサーバ操作ボタン２０３の再生ボタンを選択して、本編部分１の終了点を目でみて確認し、マークイン／アウト表示部２０４のＭＡＲＫボタンを選択し、更新ボタンを選択すると、保存していた切り出しデータのうちの本編部分１の終了点を示すタイムコードが更新される。
【００５９】
以上により、切り出した本編部分１からオンエアー（送出）したい本編部分１のみを切り出すことができる。
【００６０】
同様にして、切り出した本編部分２からオンエアー（送出）したい本編部分２のみを、切り出した本編部分３からオンエアー（送出）したい本編部分３のみを切り出すことができる。
【００６１】
そして、切り出した本編部分の切り出した部分のタイムコード（本編部分切り出しデータ）をデータサーバ１０９に登録する
このことで、オンエアー（送出）の指示があったとき、制御コンピュータ１１０は、データサーバから伝達された本編部分切り出しデータに基づきビデオサーバ１０４を制御することで、ビデオサーバ１０４に収録されている番組素材のうちのオンエアー（送出）したい本編部分１、本編部分２、本編部分３のみが自動的に切り出され、オンエアー用分配器１１２を経由して外部にオンエアー（送出）される。
【００６２】
本実施の形態では、番組素材から黒味映像部分を除いた本編部分を、番組素材の映像を目で確認することなく、自動的に切り出すことができるので、オペレータの負担を軽減することができる。
【００６３】
また切り出した本編部分からオンエアー（送出）したい本編部分のみを切り出すのに、画面に表示された本編部分を選択することで、本編部分開始点までサーチするので、オペレータの負担をさらに軽減することができる。
【００６４】
また画面に表示された本編部分のフレーム画像をみて、オンエアー（送出）したい本編部分を決定することができるので、オペレータの負担をさらに軽減することができる。
【図面の簡単な説明】
【００６５】
【図１】本発明による番組素材の本編部分自動切り出し方法を備えた放送システムの実施の形態のブロック構成図である。
【図２】本編自動切り出しを実行するとき及び実行したときの登録／プレビュー卓（パソコン）におけるファイリング／プレビューの画面である。
【図３】登録／プレビュー卓（パソコン）に備えたコンピュータ（ＣＰＵ）が、番組素材を解析し、自動的に本編部分を切り出すフローの一例を示す図である。
【図４】番組素材テープを示す図である。
【符号の説明】
【００６６】
１０１：番組素材、１０２：映像記録再生装置（ＶＴＲ）、１０３：分配器、１０４：ビデオサーバ１０５：スイッチャー、１０６：映像モニタ、１０７：キャプチャーボード、１０８：登録／プレビュー卓（パソコン）、１０９：データサーバ、１１０：制御用コンピュータ、１１１：オンエアー用分配器、１１２：オンエアー用映像モニタ、２０１：キャプチャー画面部、２０２：タイムコード表示部、２０３：ビデオサーバ操作ボタン、２０４：マークイン／アウト表示部、２０５：番組テープデータ表示部、２０６：本編部分自動切り出しデータ表示部、２０７：本編部分開始点のフレーム画像表示部、４０１：番組素材テープ、１１，１２，１３：本編部分、２１，２２：黒味映像部分、３１，３２，３３，３４，３５，３６：捨てカット部分。
【図１】
0004734154.tif 000002
【図２】
0004734154.tif 000003
【図３】
0004734154.tif 000004
【図４】
0004734154.tif 000005